(57)【特許請求の範囲】
【請求項１】
記録媒体を収納する媒体収納部と、前記記録媒体が手差しによってセットされる媒体手差し部と、前記媒体手差し部に前記記録媒体がセットされているか否かを検出する手差し検出部と、前記媒体収納部および前記媒体手差し部の何れかから供給される前記記録媒体に画像を印刷する印刷デバイスとを備えている画像形成装置であって、
印刷データを受け付ける印刷データ受付手段と、前記印刷データ受付手段によって受け付けられた前記印刷データに基づいて前記画像を生成する画像生成手段と、前記画像生成手段によって生成された前記画像を前記記録媒体に印刷するように前記印刷デバイスを制御する印刷制御手段と、前記媒体手差し部から前記印刷デバイスに供給される場合の前記記録媒体の向きの指示を受け付けてこの向きを設定する媒体向き設定手段とを備えており、
前記媒体向き設定手段は、前記印刷データ受付手段が前記印刷データを受け付ける時期と無関係な時期に前記記録媒体の向きの指示を受け付けてこの向きを設定することが可能であり、
前記印刷制御手段は、前記媒体手差し部に前記記録媒体がセットされていることが前記手差し検出部によって検出されている場合、前記記録媒体を前記媒体手差し部から前記印刷デバイスに強制的に供給させる動作である手差し強制動作を実行し、
前記画像生成手段は、前記印刷制御手段によって前記手差し強制動作が実行される場合に、前記印刷データに前記記録媒体の属性の少なくとも１つとして前記記録媒体のサイズが含まれているとき、前記印刷データに含まれている前記記録媒体のサイズに基づいて前記画像のサイズを決定し、
前記画像生成手段は、前記印刷制御手段によって前記手差し強制動作が実行される場合、前記媒体向き設定手段によって設定されている前記記録媒体の向きに基づいて前記画像の向きを決定することを特徴とする画像形成装置。
【請求項２】
前記媒体手差し部に対する前記記録媒体の属性の指示を受け付けてこの属性を設定する手差し属性設定手段を備えており、
前記印刷制御手段は、前記手差し強制動作を実行する場合に、前記印刷データに含まれている前記記録媒体の属性が前記手差し属性設定手段によって設定されている前記記録媒体の属性に適合しないときであっても、印刷を続行することを特徴とする請求項１に記載の画像形成装置。
【請求項３】
前記印刷デバイスに供給された前記記録媒体の属性を検出する媒体属性検出部を備えており、
前記印刷制御手段は、前記手差し強制動作を実行する場合に、前記媒体属性検出部によって検出された前記記録媒体の属性が前記印刷制御手段による前記印刷デバイスの制御における前記記録媒体の属性に適合しないときであっても、印刷を続行することを特徴とする請求項１または請求項２に記載の画像形成装置。
【請求項４】
前記媒体収納部より前記媒体手差し部を優先することである手差し優先の指示を受け付けて前記手差し優先を設定する手差し優先設定手段を備えており、
前記印刷制御手段は、前記媒体手差し部に前記記録媒体がセットされていることが前記手差し検出部によって検出されている場合であって、前記手差し優先が前記手差し優先設定受付手段によって設定されている場合、前記手差し強制動作を実行することを特徴とする請求項１から請求項３までの何れかに記載の画像形成装置。
【請求項５】
記録媒体を収納する媒体収納部と、前記記録媒体が手差しによってセットされる媒体手差し部と、前記媒体手差し部に前記記録媒体がセットされているか否かを検出する手差し検出部と、前記媒体収納部および前記媒体手差し部の何れかから供給される前記記録媒体に画像を印刷する印刷デバイスとを備えている画像形成装置によって実行される画像形成プログラムであって、
印刷データを受け付ける印刷データ受付ステップと、前記印刷データ受付ステップによって受け付けられた前記印刷データに基づいて前記画像を生成する画像生成ステップと、前記画像生成ステップによって生成された前記画像を前記記録媒体に印刷するように前記印刷デバイスを制御する印刷制御ステップと、前記媒体手差し部から前記印刷デバイスに供給される場合の前記記録媒体の向きの指示を受け付けてこの向きを設定する媒体向き設定ステップとを前記画像形成装置に実行させ、
前記媒体向き設定ステップは、前記印刷データ受付ステップが前記印刷データを受け付ける時期と無関係な時期に前記記録媒体の向きの指示を受け付けてこの向きを設定することが可能であり、
前記印刷制御ステップは、前記媒体手差し部に前記記録媒体がセットされていることが前記手差し検出部によって検出されている場合、前記記録媒体を前記媒体手差し部から前記印刷デバイスに強制的に供給させる動作である手差し強制動作を実行するステップであり、
前記画像生成ステップは、前記印刷制御ステップによって前記手差し強制動作が実行される場合に、前記印刷データに前記記録媒体の属性の少なくとも１つとして前記記録媒体のサイズが含まれているとき、前記印刷データに含まれている前記記録媒体のサイズに基づいて前記画像のサイズを決定するステップであり、
前記画像生成ステップは、前記印刷制御ステップによって前記手差し強制動作が実行される場合、前記媒体向き設定ステップによって設定されている前記記録媒体の向きに基づいて前記画像の向きを決定するステップであることを特徴とする画像形成プログラム。
【発明の詳細な説明】
【技術分野】
【０００１】
本発明は、手差しによってセットされた記録媒体に画像を印刷することができる画像形成装置に関する。
【背景技術】
【０００２】
従来、手差しによってセットされた記録媒体に画像を印刷することができる画像形成装置として、記録媒体である用紙を収納する給紙口と、用紙が手差しによってセットされる手差し給紙口と、給紙口および手差し給紙口の何れかから供給される用紙に画像を印刷する印刷デバイスとを備えているプリンター装置が知られている（特許文献１参照。）。特許文献１に記載されたプリンター装置は、手差し給紙口にセットされる用紙の向きを印刷データとともにＰＣ（Ｐｅｒｓｏｎａｌ  Ｃｏｍｐｕｔｅｒ）から受け付けることによって、用紙に印刷する画像を印刷データに基づいて生成する場合に、ＰＣから受け付けた用紙の向きに基づいて画像の向きを決定する。したがって、特許文献１に記載されたプリンター装置は、例えばＡ４サイズの用紙のように、手差し給紙口にセットされる用紙の向きが１通りではない用紙であっても、手差し給紙口にセットされる用紙の向きと、生成された画像の向きとが異なることによる印刷の失敗の発生を抑えることができる。
【０００３】
また、従来、手差しによってセットされた記録媒体に画像を印刷することができる画像形成装置として、記録媒体である用紙を収納する用紙カセットと、用紙が手差しによってセットされる後方給紙部と、後方給紙部に用紙がセットされているか否かを検出するＰＥ検出器と、用紙カセットおよび後方給紙部の何れかから供給される用紙に画像を印刷する印刷処理部とを備えているプリンターが知られている（特許文献２参照。）。特許文献２に記載されたプリンターは、後方給紙部に用紙がセットされていることがＰＥ検出器によって検出された場合、用紙を後方給紙部から印刷処理部に強制的に供給させるので、利用者の利便性が高い。
【先行技術文献】
【特許文献】
【０００４】
【特許文献１】特開２０００−１９０５９１号公報
【特許文献２】特開２００７−３３１１２５号公報
【発明の概要】
【発明が解決しようとする課題】
【０００５】
しかしながら、特許文献１に記載されたプリンター装置において、利用者の利便性を向上するために、特許文献２に記載された技術を適用して、手差し給紙口に用紙がセットされているときに用紙を手差し給紙口から印刷デバイスに強制的に供給させるように変更したとしても、手差し給紙口にセットされる用紙の向きをＰＣからプリンター装置への印刷データの送信の度に利用者がＰＣから指定しなければならないので、利用者の利便性の向上の効果が小さいという問題がある。
【０００６】
そこで、本発明は、記録媒体の向きに起因する印刷の失敗の発生を抑えることができるとともに、利用者の利便性を従来より向上することができる画像形成装置を提供することを目的とする。
【課題を解決するための手段】
【０００７】
本発明の画像形成装置は、記録媒体を収納する媒体収納部と、前記記録媒体が手差しによってセットされる媒体手差し部と、前記媒体手差し部に前記記録媒体がセットされているか否かを検出する手差し検出部と、前記媒体収納部および前記媒体手差し部の何れかから供給される前記記録媒体に画像を印刷する印刷デバイスとを備えている画像形成装置であって、印刷データを受け付ける印刷データ受付手段と、前記印刷データ受付手段によって受け付けられた前記印刷データに基づいて前記画像を生成する画像生成手段と、前記画像生成手段によって生成された前記画像を前記記録媒体に印刷するように前記印刷デバイスを制御する印刷制御手段と、前記媒体手差し部から前記印刷デバイスに供給される場合の前記記録媒体の向きの指示を受け付けてこの向きを設定する媒体向き設定手段とを備えており、前記媒体向き設定手段は、前記印刷データ受付手段が前記印刷データを受け付ける時期と無関係な時期に前記記録媒体の向きの指示を受け付けてこの向きを設定することが可能であり、前記印刷制御手段は、前記媒体手差し部に前記記録媒体がセットされていることが前記手差し検出部によって検出されている場合、前記記録媒体を前記媒体手差し部から前記印刷デバイスに強制的に供給させる動作である手差し強制動作を実行し、前記画像生成手段は、前記印刷制御手段によって前記手差し強制動作が実行される場合、前記媒体向き設定手段によって設定されている前記記録媒体の向きに基づいて前記画像の向きを決定することを特徴とする。
【０００８】
この構成により、本発明の画像形成装置は、手差し強制動作を実行する場合、媒体向き設定手段によって設定されている記録媒体の向きに基づいて画像生成手段が画像の向きを決定するので、記録媒体の向きに起因する印刷の失敗の発生を抑えることができる。また、本発明の画像形成装置は、印刷データ受付手段が印刷データを受け付ける時期と無関係な時期に媒体向き設定手段が記録媒体の向きの指示を受け付けてこの向きを設定することが可能であるので、媒体手差し部に記録媒体がセットされてから印刷制御手段によって手差し強制動作が実行されるまでに利用者が実行する動作を従来より減らすことができる。すなわち、本発明の画像形成装置は、手差し強制動作を実行する場合の利用者の利便性を従来より向上することができる。
【０００９】
また、本発明の画像形成装置は、前記媒体手差し部に対する前記記録媒体の属性の指示を受け付けてこの属性を設定する手差し属性設定手段を備えており、前記印刷制御手段は、前記手差し強制動作を実行する場合に、前記印刷データに含まれている前記記録媒体の属性が前記手差し属性設定手段によって設定されている前記記録媒体の属性に適合しないときであっても、印刷を続行しても良い。
【００１０】
この構成により、本発明の画像形成装置は、手差し強制動作を実行する場合、印刷データに含まれている記録媒体の属性が手差し属性設定手段によって設定されている記録媒体の属性に適合しないときであっても、印刷を続行するので、属性が適切である記録媒体への変更などの行為を利用者に要求することがない。すなわち、本発明の画像形成装置は、手差し強制動作を実行する場合の利用者の利便性を向上することができる。
【００１１】
また、本発明の画像形成装置は、前記印刷デバイスに供給された前記記録媒体の属性を検出する媒体属性検出部を備えており、前記印刷制御手段は、前記手差し強制動作を実行する場合に、前記媒体属性検出部によって検出された前記記録媒体の属性が前記印刷制御手段による前記印刷デバイスの制御における前記記録媒体の属性に適合しないときであっても、印刷を続行しても良い。
【００１２】
この構成により、本発明の画像形成装置は、手差し強制動作を実行する場合、媒体属性検出部によって検出された記録媒体の属性が印刷制御手段による印刷デバイスの制御における記録媒体の属性に適合しないときであっても、印刷を続行するので、属性が適切である記録媒体への変更などの行為を利用者に要求することがない。すなわち、本発明の画像形成装置は、手差し強制動作を実行する場合の利用者の利便性を向上することができる。
【００１３】
また、本発明の画像形成装置の前記記録媒体の属性には、前記記録媒体のサイズが含まれていても良い。
【００１４】
記録媒体のサイズは印刷結果に大きな影響がある。したがって、印刷データに含まれている記録媒体の属性が手差し属性設定手段によって設定されている記録媒体の属性に適合しないとき、通常は印刷を停止した方が良い。同様に、媒体属性検出部によって検出された記録媒体のサイズが印刷制御手段による印刷デバイスの制御における記録媒体のサイズに適合しないとき、通常は印刷を停止した方が良い。しかしながら、本発明の画像形成装置は、手差し強制動作を実行する場合、印刷データに含まれている記録媒体の属性が手差し属性設定手段によって設定されている記録媒体の属性に適合しないときであっても、印刷を続行するので、手差し強制動作を実行する場合の利用者の利便性を向上することができる。同様に、本発明の画像形成装置は、手差し強制動作を実行する場合、媒体属性検出部によって検出された記録媒体のサイズが印刷制御手段による印刷デバイスの制御における記録媒体のサイズに適合しないときであっても、印刷を続行するので、手差し強制動作を実行する場合の利用者の利便性を向上することができる。
【００１５】
また、本発明の画像形成装置は、前記媒体収納部より前記媒体手差し部を優先することである手差し優先の指示を受け付けて前記手差し優先を設定する手差し優先設定手段を備えており、前記印刷制御手段は、前記媒体手差し部に前記記録媒体がセットされていることが前記手差し検出部によって検出されている場合であって、前記手差し優先が前記手差し優先設定受付手段によって設定されている場合、前記手差し強制動作を実行しても良い。
【００１６】
この構成により、本発明の画像形成装置は、媒体手差し部に記録媒体がセットされている場合に手差し強制動作を実行するか否かを、利用者に選択させることができる。
【００１７】
本発明の画像形成プログラムは、記録媒体を収納する媒体収納部と、前記記録媒体が手差しによってセットされる媒体手差し部と、前記媒体手差し部に前記記録媒体がセットされているか否かを検出する手差し検出部と、前記媒体収納部および前記媒体手差し部の何れかから供給される前記記録媒体に画像を印刷する印刷デバイスとを備えている画像形成装置によって実行される画像形成プログラムであって、印刷データを受け付ける印刷データ受付ステップと、前記印刷データ受付ステップによって受け付けられた前記印刷データに基づいて前記画像を生成する画像生成ステップと、前記画像生成ステップによって生成された前記画像を前記記録媒体に印刷するように前記印刷デバイスを制御する印刷制御ステップと、前記媒体手差し部から前記印刷デバイスに供給される場合の前記記録媒体の向きの指示を受け付けてこの向きを設定する媒体向き設定ステップとを前記画像形成装置に実行させ、前記媒体向き設定ステップは、前記印刷データ受付ステップが前記印刷データを受け付ける時期と無関係な時期に前記記録媒体の向きの指示を受け付けてこの向きを設定することが可能であり、前記印刷制御ステップは、前記媒体手差し部に前記記録媒体がセットされていることが前記手差し検出部によって検出されている場合、前記記録媒体を前記媒体手差し部から前記印刷デバイスに強制的に供給させる動作である手差し強制動作を実行するステップであり、前記画像生成ステップは、前記印刷制御ステップによって前記手差し強制動作が実行される場合、前記媒体向き設定ステップによって設定されている前記記録媒体の向きに基づいて前記画像の向きを決定するステップであることを特徴とする。
【００１８】
この構成により、本発明の画像形成プログラムを実行する画像形成装置は、手差し強制動作を実行する場合、媒体向き設定ステップによって設定されている記録媒体の向きに基づいて画像生成ステップが画像の向きを決定するので、記録媒体の向きに起因する印刷の失敗の発生を抑えることができる。また、本発明の画像形成プログラムを実行する画像形成装置は、印刷データ受付ステップが印刷データを受け付ける時期と無関係な時期に媒体向き設定ステップが記録媒体の向きの指示を受け付けてこの向きを設定することが可能であるので、媒体手差し部に記録媒体がセットされてから印刷制御ステップによって手差し強制動作が実行されるまでに利用者が実行する動作を従来より減らすことができる。すなわち、本発明の画像形成プログラムを実行する画像形成装置は、利用者の利便性を従来より向上することができる。
【発明の効果】
【００１９】
本発明の画像形成装置は、記録媒体の向きに起因する印刷の失敗の発生を抑えることができるとともに、利用者の利便性を従来より向上することができる。
【図面の簡単な説明】
【００２０】
【図１】本発明の一実施の形態に係るネットワークシステムのブロック図である。
【図２】図１に示すＭＦＰの構成図である。
【図３】図１に示すＭＦＰのブロック図である。
【図４】図３に示す供給元属性設定の内容の一例を示す図である。
【図５】図３に示す供給向き設定の内容の一例を示す図である。
【図６】図１に示すＰＣのブロック図である。
【図７】図１に示すＭＦＰのプリンター印刷のフローチャートである。
【図８】図７に示すプリンター印刷用供給元決定処理のフローチャートである。
【図９】図８に示す自動供給元処理１のフローチャートである。
【図１０】図８に示す自動供給元処理２のフローチャートである。
【図１１】図８に示す固定供給元処理１のフローチャートである。
【図１２】図８に示す固定供給元処理２のフローチャートである。
【図１３】図８に示すＭＰトレイ固定処理のフローチャートである。
【図１４】図７に示す画像生成処理のフローチャートである。
【図１５】図７に示す画像形成処理のフローチャートである。
【発明を実施するための形態】
【００２１】
以下、本発明の一実施の形態について、図面を用いて説明する。
【００２２】
まず、本実施の形態に係るネットワークシステムの構成について説明する。
【００２３】
図１は、本実施の形態に係るネットワークシステム１０のブロック図である。
【００２４】
図１に示すように、ネットワークシステム１０は、画像形成装置であるＭＦＰ（Ｍｕｌｔｉｆｕｎｃｔｉｏｎ  Ｐｅｒｉｐｈｅｒａｌ）２０と、ＭＦＰ２０の外部の装置であるＰＣ(Ｐｅｒｓｏｎａｌ  Ｃｏｍｐｕｔｅｒ)８０とを備えている。ＭＦＰ２０およびＰＣ８０は、ＬＡＮ（Ｌｏｃａｌ  Ａｒｅａ  Ｎｅｔｗｏｒｋ）、インターネットなどのネットワーク１１を介して互いに通信可能に接続されている。
【００２５】
図２は、ＭＦＰ２０の構成図である。図３は、ＭＦＰ２０のブロック図である。
【００２６】
図２および図３に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体２０ａを収納する媒体収納部としての複数の給紙カセット２３と、記録媒体２０ａが手差しによってセットされる媒体手差し部としてのＭＰ（Ｍｕｌｔｉ  Ｐｕｒｐｏｓｅ）トレイ２４と、複数の給紙カセット２３のそれぞれに記録媒体２０ａがセットされているか否かを検出する複数のカセット媒体センサー２５と、ＭＰトレイ２４に記録媒体２０ａがセットされているか否かを検出する手差し検出部としての手差し媒体センサー２６と、給紙カセット２３およびＭＰトレイ２４の何れかから供給される記録媒体２０ａに画像を印刷する印刷デバイスであるプリンター２７と、プリンター２７に供給された記録媒体２０ａの属性を検出する媒体属性検出部としての属性センサー２８と、プリンター２７によって画像が印刷された記録媒体２０ａの排出先である排紙トレイ２９と、原稿から画像を読み取る読取デバイスであるスキャナー３０と、公衆電話回線などの通信回線経由でファックス通信を行うファックスデバイスであるファックス通信部３１と、ネットワーク１１経由で通信を行うネットワーク通信デバイスであるネットワーク通信部３２と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部４０と、ＭＦＰ２０全体を制御する制御部５０とを備えている。
【００２７】
ここで、記録媒体２０ａの属性には、普通紙、上質紙、薄紙、厚紙、再生紙、ＯＨＰ（Ｏｖｅｒｈｅａｄ  Ｐｒｏｊｅｃｔｏｒ）シートなどの記録媒体２０ａの種類と、Ａ３サイズ、Ａ４サイズ、Ａ５サイズ、Ｂ４サイズ、Ｂ５サイズ、Ｂ６サイズなどの記録媒体２０ａのサイズとが含まれている。
【００２８】
記憶部４０は、画像形成プログラム４１を記憶している。画像形成プログラム４１は、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリー、ＳＤメモリーカードなどの記憶媒体からＭＦＰ２０に追加でインストールされても良いし、ネットワーク１１上からＭＦＰ２０に追加でインストールされても良い。
【００２９】
記憶部４０は、給紙カセット２３よりＭＰトレイ２４を優先することに関する設定であるＭＰトレイ優先印刷設定４２を記憶している。ＭＰトレイ優先印刷設定４２の値は、デフォルトの設定である“設定１”と、ＭＰトレイ２４に記録媒体２０ａがセットされていることが手差し媒体センサー２６によって検出されている場合であって、記録媒体２０ａの供給元が給紙カセット２３として指定されていない場合に給紙カセット２３よりＭＰトレイ２４を優先する設定である“設定２”と、ＭＰトレイ２４に記録媒体２０ａがセットされていることが手差し媒体センサー２６によって検出されている場合に給紙カセット２３よりＭＰトレイ２４を優先する設定である“設定３”との何れかである。
【００３０】
記憶部４０は、複数の給紙カセット２３およびＭＰトレイ２４のうち記録媒体２０ａのデフォルトの供給元の設定であるデフォルト供給元設定４３と、給紙カセット２３およびＭＰトレイ２４に対する記録媒体２０ａの属性の設定である供給元属性設定４４とを記憶している。以下、デフォルト供給元設定４３によって設定されている供給元を「デフォルト供給元」と言う。
【００３１】
図４は、供給元属性設定４４の内容の一例を示す図である。
【００３２】
図４に示すように、供給元属性設定４４は、給紙カセット２３およびＭＰトレイ２４と、記録媒体２０ａの種類およびサイズとが対応付けられた情報である。なお、図４に示す供給元属性設定４４において、“カセット１”、“カセット２”、“カセット３”、・・・は、複数の給紙カセット２３のそれぞれを表している。
【００３３】
以下、供給元属性設定４４において設定されている記録媒体２０ａの属性を「設定属性」と言い、設定属性のうち記録媒体２０ａの種類を「設定種類」と言い、設定属性のうち記録媒体２０ａのサイズを「設定サイズ」と言う。また、印刷データに含まれている記録媒体２０ａの属性を「指定属性」と言い、指定属性のうち記録媒体２０ａの種類を「指定種類」と言い、指定属性のうち記録媒体２０ａのサイズを「指定サイズ」と言う。また、属性センサー２８によって検出された記録媒体２０ａの属性を「検出属性」と言い、検出属性のうち記録媒体２０ａの種類を「検出種類」と言い、検出属性のうち記録媒体２０ａのサイズを「検出サイズ」と言う。また、後述の印刷制御手段５２によるプリンター２７の制御における記録媒体２０ａの属性を「制御属性」と言い、制御属性のうち記録媒体２０ａの種類を「制御種類」と言い、制御属性のうち記録媒体２０ａのサイズを「制御サイズ」と言う。
【００３４】
図３に示すように、記憶部４０は、プリンター２７に供給される場合の記録媒体２０ａの向きの設定である供給向き設定４５を記憶している。
【００３５】
図５は、供給向き設定４５の内容の一例を示す図である。
【００３６】
図５に示すように、供給向き設定４５は、給紙カセット２３およびＭＰトレイ２４と、プリンター２７に供給される場合の記録媒体２０ａの向きとが対応付けられた情報である。記録媒体２０ａの向きには、記録媒体２０ａの短辺の延在方向に記録媒体２０ａがプリンター２７に供給される“横向き”と、記録媒体２０ａの長辺の延在方向に記録媒体２０ａがプリンター２７に供給される“縦向き”とがある。なお、図５に示す供給向き設定４５において、“カセット１”、“カセット２”、“カセット３”、・・・は、複数の給紙カセット２３のそれぞれを表している。
【００３７】
以下、供給向き設定４５において設定されている記録媒体の向きを「設定向き」と言う。
【００３８】
図３に示すように、記憶部４０は、記録媒体２０ａの供給元を決定する場合の動作の切り替えの設定である動作切替設定４６を記憶している。動作切替設定４６の値は、供給元がＭＦＰ２０によって自動で決定される“自動”と、印刷データにおいて指定された供給元（以下「指定供給元」と言う。）が採用される“固定”との何れかである。
【００３９】
記憶部４０は、指定属性と、指定供給元の設定属性とが適合するか否かの検査（以下「属性検査」と言う。）の実行の設定である属性検査設定４７を記憶している。属性検査設定４７の値は、属性検査が実行される“オン”と、属性検査が実行されない“オフ”との何れかである。
【００４０】
制御部５０は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部４０に記憶されているプログラムを実行するようになっている。
【００４１】
制御部５０は、記憶部４０に記憶されている画像形成プログラム４１を実行することによって、印刷データに基づいて画像を生成する画像生成手段５１、印刷データに基づいた画像を記録媒体２０ａに印刷するようにプリンター２７を制御する印刷制御手段５２、ＭＰトレイ優先印刷設定４２の変更の指示を受け付けてＭＰトレイ優先印刷設定４２を変更するＭＰトレイ優先印刷設定手段５３、給紙カセット２３およびＭＰトレイ２４に対する記録媒体２０ａの属性の指示を受け付けてこの属性を設定する属性設定手段５４、プリンター２７に供給される場合の記録媒体２０ａの向きの指示を受け付けてこの向きを設定する向き設定手段５５、および、印刷データを受け付ける印刷データ受付手段５６として機能する。
【００４２】
ＭＰトレイ優先印刷設定手段５３は、給紙カセット２３よりＭＰトレイ２４を優先することである手差し優先の指示、すなわち、ＭＰトレイ優先印刷設定４２を“設定２”または“設定３”に変更することの指示を受け付けて設定することが可能である手段であり、本発明の手差し優先設定手段を構成している。
【００４３】
属性設定手段５４は、ＭＰトレイ２４に対する記録媒体２０ａの属性の指示を受け付けてこの属性を設定することが可能である手段であり、本発明の手差し属性設定手段を構成している。
【００４４】
向き設定手段５５は、ＭＰトレイ２４からプリンター２７に供給される場合の記録媒体２０ａの向きの指示を受け付けてこの向きを設定することが可能である手段であり、本発明の媒体向き設定手段を構成している。
【００４５】
図６は、ＰＣ８０のブロック図である。
【００４６】
図６に示すように、ＰＣ８０は、利用者による種々の操作が入力されるマウス、キーボードなどの入力デバイスである操作部８１と、種々の情報を表示するＬＣＤなどの表示デバイスである表示部８２と、ネットワーク１１経由で通信を行うネットワーク通信デバイスであるネットワーク通信部８３と、各種のデータを記憶しているＨＤＤなどの記憶デバイスである記憶部８４と、ＰＣ８０全体を制御する制御部８５とを備えている。
【００４７】
記憶部８４は、ＭＦＰ２０を制御するためのプリンタードライバー８４ａを記憶している。プリンタードライバー８４ａは、ＰＣ８０の製造段階でＰＣ８０にインストールされていても良いし、ＵＳＢメモリー、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体からＰＣ８０に追加でインストールされても良いし、ネットワーク１１上からＰＣ８０に追加でインストールされても良い。
【００４８】
制御部８５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部８４に記憶されているプログラムを実行するようになっている。
【００４９】
次に、ネットワークシステム１０の動作について説明する。
【００５０】
＜ＭＰトレイ優先印刷設定４２の変更＞
ＭＰトレイ優先印刷設定４２が変更される場合のＭＦＰ２０の動作について説明する。
【００５１】
ＭＰトレイ優先印刷設定４２の変更のための画面の表示の指示をＭＦＰ２０の操作部２１を介して利用者が入力すると、ＭＦＰ２０の制御部５０のＭＰトレイ優先印刷設定手段５３は、その画面をＭＦＰ２０の表示部２２に表示する。利用者は、その画面に表示されるＧＵＩ（Ｇｒａｐｈｉｃａｌ  Ｕｓｅｒ  Ｉｎｔｅｒｆａｃｅ）によって、ＭＰトレイ優先印刷設定４２の値を上述の“設定１”、“設定２”および“設定３”の中の何れか１つに変更することを指示することができる。
【００５２】
ＭＰトレイ優先印刷設定４２の変更の指示を利用者が操作部２１を介して入力すると、ＭＰトレイ優先印刷設定手段５３は、操作部２１を介して入力された指示を受け付けて、受け付けた指示通りに記憶部４０上のＭＰトレイ優先印刷設定４２を変更する。
【００５３】
以上においては、ＭＦＰ２０の操作部２１および表示部２２を介したＭＰトレイ優先印刷設定４２の変更について説明している。ＭＰトレイ優先印刷設定４２は、ＭＰトレイ優先印刷設定４２の変更のためのプログラムがＰＣ８０に導入されることによって、ＭＦＰ２０の操作部２１および表示部２２を介した変更と同様に、ＰＣ８０の操作部８１および表示部８２を介してネットワーク１１経由で変更されることができる。
【００５４】
＜供給元属性設定４４の変更＞
供給元属性設定４４が変更される場合のＭＦＰ２０の動作について説明する。
【００５５】
供給元属性設定４４の設定のための画面の表示の指示をＭＦＰ２０の操作部２１を介して利用者が入力すると、ＭＦＰ２０の制御部５０の属性設定手段５４は、その画面をＭＦＰ２０の表示部２２に表示する。利用者は、その画面に表示されるＧＵＩによって、給紙カセット２３およびＭＰトレイ２４に対する記録媒体２０ａの属性を設定することを指示することができる。
【００５６】
給紙カセット２３およびＭＰトレイ２４に対する記録媒体２０ａの属性の設定の指示を利用者が操作部２１を介して入力すると、属性設定手段５４は、操作部２１を介して入力された指示を受け付けて、受け付けた指示通りに記憶部４０上の供給元属性設定４４を設定する。
【００５７】
以上においては、ＭＦＰ２０の操作部２１および表示部２２を介した供給元属性設定４４の変更について説明している。供給元属性設定４４は、供給元属性設定４４の変更のためのプログラムがＰＣ８０に導入されることによって、ＭＦＰ２０の操作部２１および表示部２２を介した変更と同様に、ＰＣ８０の操作部８１および表示部８２を介してネットワーク１１経由で変更されることができる。
【００５８】
＜供給向き設定４５の変更＞
供給向き設定４５が変更される場合のＭＦＰ２０の動作について説明する。
【００５９】
供給向き設定４５の設定のための画面の表示の指示をＭＦＰ２０の操作部２１を介して利用者が入力すると、ＭＦＰ２０の制御部５０の向き設定手段５５は、その画面をＭＦＰ２０の表示部２２に表示する。利用者は、その画面に表示されるＧＵＩによって、プリンター２７に供給される場合の記録媒体２０ａの向きを設定することを指示することができる。
【００６０】
プリンター２７に供給される場合の記録媒体２０ａの向きの設定の指示を利用者が操作部２１を介して入力すると、向き設定手段５５は、操作部２１を介して入力された指示を受け付けて、受け付けた指示通りに記憶部４０上の供給向き設定４５を設定する。
【００６１】
以上においては、ＭＦＰ２０の操作部２１および表示部２２を介した供給向き設定４５の変更について説明している。供給向き設定４５は、供給向き設定４５の変更のためのプログラムがＰＣ８０に導入されることによって、ＭＦＰ２０の操作部２１および表示部２２を介した変更と同様に、ＰＣ８０の操作部８１および表示部８２を介してネットワーク１１経由で変更されることができる。
【００６２】
＜動作切替設定４６の変更＞
動作切替設定４６が変更される場合のＭＦＰ２０の動作について説明する。
【００６３】
動作切替設定４６の変更のための画面の表示の指示をＭＦＰ２０の操作部２１を介して利用者が入力すると、ＭＦＰ２０の制御部５０は、その画面をＭＦＰ２０の表示部２２に表示する。利用者は、その画面に表示されるＧＵＩによって、動作切替設定４６の値を上述の“自動”および“固定”の中の何れか１つに変更することを指示することができる。
【００６４】
動作切替設定４６の変更の指示を利用者が操作部２１を介して入力すると、制御部５０は、操作部２１を介して入力された指示を受け付けて、受け付けた指示通りに記憶部４０上の動作切替設定４６を変更する。
【００６５】
以上においては、ＭＦＰ２０の操作部２１および表示部２２を介した動作切替設定４６の変更について説明している。動作切替設定４６は、動作切替設定４６の変更のためのプログラムがＰＣ８０に導入されることによって、ＭＦＰ２０の操作部２１および表示部２２を介した変更と同様に、ＰＣ８０の操作部８１および表示部８２を介してネットワーク１１経由で変更されることができる。
【００６６】
＜属性検査設定４７の変更＞
属性検査設定４７が変更される場合のＭＦＰ２０の動作について説明する。
【００６７】
属性検査設定４７の変更のための画面の表示の指示をＭＦＰ２０の操作部２１を介して利用者が入力すると、ＭＦＰ２０の制御部５０は、その画面をＭＦＰ２０の表示部２２に表示する。利用者は、その画面に表示されるＧＵＩによって、属性検査設定４７の値を上述の“オン”および“オフ”の中の何れか１つに変更することを指示することができる。
【００６８】
属性検査設定４７の変更の指示を利用者が操作部２１を介して入力すると、制御部５０は、操作部２１を介して入力された指示を受け付けて、受け付けた指示通りに記憶部４０上の属性検査設定４７を変更する。
【００６９】
以上においては、ＭＦＰ２０の操作部２１および表示部２２を介した属性検査設定４７の変更について説明している。属性検査設定４７は、属性検査設定４７の変更のためのプログラムがＰＣ８０に導入されることによって、ＭＦＰ２０の操作部２１および表示部２２を介した変更と同様に、ＰＣ８０の操作部８１および表示部８２を介してネットワーク１１経由で変更されることができる。
【００７０】
＜プリンター印刷＞
ＭＦＰ２０がＰＣ８０などの外部の装置からネットワーク通信部３２を介して受信した印刷データに基づいたＭＦＰ２０の印刷動作であるプリンター印刷について説明する。
【００７１】
利用者は、プリンタードライバー８４ａなどのプログラムを介してＰＣ８０からＭＦＰ２０に印刷データを送信する場合に、この印刷データに基づいた印刷の指示をＰＣ８０からＭＦＰ２０に指示することができる。
【００７２】
ＭＦＰ２０の制御部５０は、印刷データと、この印刷データに基づいた印刷の指示とをネットワーク通信部３２を介して印刷データ受付手段５６によって受信すると、図７に示す処理を実行する。
【００７３】
図７は、ＭＦＰ２０のプリンター印刷のフローチャートである。
【００７４】
図７に示すように、制御部５０の印刷制御手段５２は、記録媒体２０ａの供給元を決定する供給元決定処理である図８に示すプリンター印刷用供給元決定処理を実行する（Ｓ１０１）。
【００７５】
図８は、プリンター印刷用供給元決定処理のフローチャートである。
【００７６】
図８に示すように、印刷制御手段５２は、ＭＰトレイ優先印刷設定４２の値を確認する（Ｓ１２１）。
【００７７】
印刷制御手段５２は、ＭＰトレイ優先印刷設定４２の値が“設定１”であるとＳ１２１において判断すると、指定供給元を確認する（Ｓ１２２）。
【００７８】
印刷制御手段５２は、指定供給元が無いとＳ１２２において判断するか、指定供給元が“自動”であるとＳ１２２において判断すると、図９に示す自動供給元処理１を実行する（Ｓ１２３）。
【００７９】
図９は、自動供給元処理１のフローチャートである。
【００８０】
図９に示すように、印刷制御手段５２は、デフォルト供給元を対象にする（Ｓ１４１）。
【００８１】
次いで、印刷制御手段５２は、指定種類を確認する（Ｓ１４２）。
【００８２】
印刷制御手段５２は、“自動”以外の指定種類が有るとＳ１４２において判断すると、対象の供給元の設定種類および設定サイズが指定種類および指定サイズに適合するか否かを判断する（Ｓ１４３）。
【００８３】
印刷制御手段５２は、対象の供給元の設定種類および設定サイズが指定種類および指定サイズに適合しないとＳ１４３において判断すると、全ての供給元を対象にしたか否かを判断する（Ｓ１４４）。
【００８４】
印刷制御手段５２は、未だ対象にしていない供給元が存在するとＳ１４４において判断すると、予め定められている順番に従って、次の供給元を対象にして（Ｓ１４５）、再びＳ１４３の処理に戻る。
【００８５】
印刷制御手段５２は、指定種類が無いとＳ１４２において判断するか、“自動”の指定種類が有るとＳ１４２において判断すると、対象の供給元の設定サイズが指定サイズに適合するか否かを判断する（Ｓ１４６）。
【００８６】
印刷制御手段５２は、対象の供給元の設定サイズが指定サイズに適合しないとＳ１４６において判断すると、全ての供給元を対象にしたか否かを判断する（Ｓ１４７）。
【００８７】
印刷制御手段５２は、未だ対象にしていない供給元が存在するとＳ１４７において判断すると、予め定められている順番に従って、次の供給元を対象にして（Ｓ１４８）、再びＳ１４６の処理に戻る。
【００８８】
印刷制御手段５２は、全ての供給元を対象にしたとＳ１４４またはＳ１４７において判断すると、記録媒体２０ａの属性の不適合が生じていることを示すエラー表示を表示部２２に行う（Ｓ１４９）。このエラー表示が行われた場合、利用者は、ＭＦＰ２０に対して所定の操作を実行することによって、ＭＦＰ２０に印刷を続行させることができる。しかしながら、本実施の形態においては、Ｓ１４９の後の処理については説明を省略する。何れにしろ、印刷制御手段５２は、利用者によって所定の操作が実行されるまで、印刷を停止する。
【００８９】
印刷制御手段５２は、対象の供給元の設定種類および設定サイズが指定種類および指定サイズに適合するとＳ１４３において判断するか、対象の供給元の設定サイズが指定サイズに適合するとＳ１４６において判断すると、対象の供給元を記録媒体２０ａの供給元として決定する（Ｓ１５０）。
【００９０】
次いで、印刷制御手段５２は、決定した供給元（以下「決定供給元」と言う。）に記録媒体２０ａがセットされているか否かをカセット媒体センサー２５または手差し媒体センサー２６の出力に基づいて判断する（Ｓ１５１）。
【００９１】
印刷制御手段５２は、決定供給元に記録媒体２０ａがセットされていないとＳ１５１において判断すると、決定供給元に記録媒体２０ａがセットされていないことを示すエラー表示を表示部２２に行う（Ｓ１５２）。次いで、印刷制御手段５２は、再びＳ１５１の処理を実行する。すなわち、印刷制御手段５２は、決定供給元に記録媒体２０ａがセットされるまで、印刷を停止する。
【００９２】
印刷制御手段５２は、決定供給元に記録媒体２０ａがセットされているとＳ１５１において判断すると、図９に示す自動供給元処理１を終了する。
【００９３】
図８に示すように、印刷制御手段５２は、“自動”以外の指定供給元が有る、すなわち、印刷データにおいて複数の給紙カセット２３およびＭＰトレイ２４の何れかが指定されているとＳ１２２において判断すると、指定種類を確認する（Ｓ１２４）。
【００９４】
印刷制御手段５２は、“自動”以外の指定種類が有るとＳ１２４において判断すると、動作切替設定４６を確認する（Ｓ１２５）。
【００９５】
印刷制御手段５２は、“自動”の指定種類が有るとＳ１２４において判断するか、動作切替設定４６の値が“自動”であるとＳ１２５において判断すると、図１０に示す自動供給元処理２を実行する（Ｓ１２６）。
【００９６】
図１０は、自動供給元処理２のフローチャートである。
【００９７】
図１０に示すように、印刷制御手段５２は、指定供給元を対象にする（Ｓ１６１）。
【００９８】
図１０に示す自動供給元処理２におけるＳ１６２〜Ｓ１７２の処理は、図９に示す自動供給元処理１のＳ１４２〜Ｓ１５２の処理と同様であるので、詳細な説明を省略する。
【００９９】
図８に示すように、印刷制御手段５２は、指定種類が無いとＳ１２４において判断するか、動作切替設定４６の値が“固定”であるとＳ１２５において判断すると、属性検査設定４７を確認する（Ｓ１２７）。
【０１００】
印刷制御手段５２は、属性検査設定４７の値が“オン”であるとＳ１２７において判断すると、図１１に示す固定供給元処理１を実行する（Ｓ１２８）。
【０１０１】
図１１は、固定供給元処理１のフローチャートである。
【０１０２】
図１１に示すように、印刷制御手段５２は、指定種類を確認する（Ｓ１８１）。
【０１０３】
印刷制御手段５２は、指定種類が有るとＳ１８１において判断すると、指定供給元の設定種類および設定サイズが指定種類および指定サイズに適合するか否かを判断する（Ｓ１８２）。
【０１０４】
印刷制御手段５２は、指定種類が無いとＳ１８１において判断すると、指定供給元の設定サイズが指定サイズに適合するか否かを判断する（Ｓ１８３）。
【０１０５】
印刷制御手段５２は、指定供給元の設定種類および設定サイズが指定種類および指定サイズに適合しないとＳ１８２において判断するか、指定供給元の設定サイズが指定サイズに適合しないとＳ１８３において判断すると、記録媒体２０ａの属性の不適合が生じていることを示すエラー表示を表示部２２に行う（Ｓ１８４）。このエラー表示が行われた場合、利用者は、ＭＦＰ２０に対して所定の操作を実行することによって、ＭＦＰ２０に印刷を続行させることができる。しかしながら、本実施の形態においては、Ｓ１８４の後の処理については説明を省略する。何れにしろ、印刷制御手段５２は、利用者によって所定の操作が実行されるまで、印刷を停止する。
【０１０６】
印刷制御手段５２は、指定供給元の設定種類および設定サイズが指定種類および指定サイズに適合するとＳ１８２において判断するか、指定供給元の設定サイズが指定サイズに適合するとＳ１８３において判断すると、指定供給元を記録媒体２０ａの供給元として決定する（Ｓ１８５）。
【０１０７】
次いで、印刷制御手段５２は、決定供給元に記録媒体２０ａがセットされているか否かをカセット媒体センサー２５または手差し媒体センサー２６の出力に基づいて判断する（Ｓ１８６）。
【０１０８】
印刷制御手段５２は、決定供給元に記録媒体２０ａがセットされていないとＳ１８６において判断すると、決定供給元に記録媒体２０ａがセットされていないことを示すエラー表示を表示部２２に行う（Ｓ１８７）。次いで、印刷制御手段５２は、再びＳ１８６の処理を実行する。すなわち、印刷制御手段５２は、決定供給元に記録媒体２０ａがセットされるまで、印刷を停止する。
【０１０９】
印刷制御手段５２は、決定供給元に記録媒体２０ａがセットされているとＳ１８６において判断すると、図１１に示す固定供給元処理１を終了する。
【０１１０】
図８に示すように、印刷制御手段５２は、属性検査設定４７の値が“オフ”であるとＳ１２７において判断すると、図１２に示す固定供給元処理２を実行する（Ｓ１２９）。
【０１１１】
図１２は、固定供給元処理２のフローチャートである。
【０１１２】
図１２に示すように、印刷制御手段５２は、指定供給元に記録媒体２０ａがセットされているか否かをカセット媒体センサー２５または手差し媒体センサー２６の出力に基づいて判断する（Ｓ２０１）。
【０１１３】
印刷制御手段５２は、指定供給元に記録媒体２０ａがセットされていないとＳ２０１において判断すると、指定供給元に記録媒体２０ａがセットされていないことを示すエラー表示を表示部２２に行う（Ｓ２０２）。次いで、印刷制御手段５２は、再びＳ２０１の処理を実行する。すなわち、印刷制御手段５２は、指定供給元に記録媒体２０ａがセットされるまで、印刷を停止する。
【０１１４】
印刷制御手段５２は、指定供給元に記録媒体２０ａがセットされているとＳ２０１において判断すると、指定供給元を記録媒体２０ａの供給元として決定して（Ｓ２０３）、図１２に示す固定供給元処理２を終了する。
【０１１５】
図８に示すように、印刷制御手段５２は、ＭＰトレイ優先印刷設定４２の値が“設定２”であるとＳ１２１において判断すると、ＭＰトレイ２４に記録媒体２０ａがセットされていることが手差し媒体センサー２６によって検出されているか否かを判断する（Ｓ１３０）。
【０１１６】
印刷制御手段５２は、ＭＰトレイ２４に記録媒体２０ａがセットされていることが手差し媒体センサー２６によって検出されているとＳ１３０において判断すると、指定供給元を確認する（Ｓ１３１）。
【０１１７】
印刷制御手段５２は、ＭＰトレイ優先印刷設定４２の値が“設定３”であるとＳ１２１において判断すると、ＭＰトレイ２４に記録媒体２０ａがセットされていることが手差し媒体センサー２６によって検出されているか否かを判断する（Ｓ１３２）。
【０１１８】
印刷制御手段５２は、ＭＰトレイ２４に記録媒体２０ａがセットされていることが手差し媒体センサー２６によって検出されていないとＳ１３０またはＳ１３２において判断するか、“自動”および“ＭＰトレイ”以外の指定供給元が有る、すなわち、印刷データにおいて複数の給紙カセット２３の何れかが指定されているとＳ１３１において判断すると、Ｓ１２２の処理を実行する。
【０１１９】
印刷制御手段５２は、指定供給元が無いとＳ１３１において判断するか、“自動”または“ＭＰトレイ”の指定供給元が有るとＳ１３１において判断するか、ＭＰトレイ２４に記録媒体２０ａがセットされていることが手差し媒体センサー２６によって検出されているとＳ１３２において判断すると、図１３に示すＭＰトレイ固定処理を実行する（Ｓ１３３）。
【０１２０】
図１３は、ＭＰトレイ固定処理のフローチャートである。
【０１２１】
図１３に示すように、印刷制御手段５２は、ＭＰトレイ２４を記録媒体２０ａの供給元として決定して（Ｓ２２１）、図１３に示すＭＰトレイ固定処理を終了する。
【０１２２】
図８に示すように、印刷制御手段５２は、Ｓ１２３、Ｓ１２６、Ｓ１２８、Ｓ１２９またはＳ１３３の処理の後、図８に示すプリンター印刷用供給元決定処理を終了する。
【０１２３】
図７に示すように、Ｓ１０１のプリンター印刷用供給元決定処理が終了すると、制御部５０の画像生成手段５１は、印刷データに基づいて画像を生成する図１４に示す画像生成処理を実行する（Ｓ１０２）。
【０１２４】
図１４は、画像生成処理のフローチャートである。
【０１２５】
図１４に示すように、画像生成手段５１は、決定供給元の設定向きを取得する（Ｓ２４１）。
【０１２６】
次いで、画像生成手段５１は、指定サイズが有るか否かを判断する（Ｓ２４２）。
【０１２７】
画像生成手段５１は、指定サイズが有るとＳ２４２において判断すると、指定サイズで、Ｓ２４１において取得した設定向きに、印刷データに基づいて画像を生成する（Ｓ２４３）。
【０１２８】
画像生成手段５１は、指定サイズが無いとＳ２４２において判断すると、決定供給元の設定サイズを取得する（Ｓ２４４）。
【０１２９】
次いで、画像生成手段５１は、Ｓ２４４において取得したサイズで、Ｓ２４１において取得した設定向きに、印刷データに基づいて画像を生成する（Ｓ２４５）。
【０１３０】
画像生成手段５１は、Ｓ２４３またはＳ２４５の後、図１４に示す画像生成処理を終了する。
【０１３１】
図７に示すように、Ｓ１０２の画像生成処理が終了すると、制御部５０の印刷制御手段５２は、Ｓ１０２において生成した画像を記録媒体２０ａ上に形成する図１５に示す画像形成処理を実行する（Ｓ１０３）。
【０１３２】
図１５は、画像形成処理のフローチャートである。
【０１３３】
図１５に示すように、印刷制御手段５２は、決定供給元がＭＰトレイ２４であるか否かを判断する（Ｓ２６１）。
【０１３４】
印刷制御手段５２は、決定供給元がＭＰトレイ２４であるとＳ２６１において判断すると、決定供給元が固定供給元処理２またはＭＰトレイ固定処理によって決定されたか否かを判断する（Ｓ２６２）。
【０１３５】
印刷制御手段５２は、決定供給元が固定供給元処理２またはＭＰトレイ固定処理によって決定されたとＳ２６２において判断すると、指定種類が有るか否かを判断する（Ｓ２６３）。
【０１３６】
印刷制御手段５２は、指定種類が有るとＳ２６３において判断すると、指定種類と、画像生成処理において生成された画像のサイズ（以下「描画サイズ」と言う。）とでプリンター２７の制御を開始する（Ｓ２６４）。
【０１３７】
印刷制御手段５２は、指定種類が無いとＳ２６３において判断すると、決定供給元の設定種類と、描画サイズとでプリンター２７の制御を開始する（Ｓ２６５）。
【０１３８】
印刷制御手段５２は、決定供給元がＭＰトレイ２４ではないとＳ２６１において判断するか、決定供給元が固定供給元処理２およびＭＰトレイ固定処理以外の処理によって決定されたとＳ２６２において判断すると、決定供給元の設定種類および設定サイズでプリンター２７の制御を開始する（Ｓ２６６）。
【０１３９】
印刷制御手段５２は、Ｓ２６４、Ｓ２６５またはＳ２６６の後、決定供給元からプリンター２７によって記録媒体２０ａを搬送する（Ｓ２６７）。
【０１４０】
次いで、印刷制御手段５２は、決定供給元がＭＰトレイ固定処理によって決定されたか否かを判断する（Ｓ２６８）。
【０１４１】
印刷制御手段５２は、決定供給元がＭＰトレイ固定処理以外の処理によって決定されたとＳ２６８において判断すると、属性センサー２８によって検出された記録媒体２０ａの種類、すなわち、検出種類と、属性センサー２８によって検出された記録媒体２０ａのサイズ、すなわち、検出サイズとを取得する（Ｓ２６９）。
【０１４２】
次いで、印刷制御手段５２は、検出種類と、検出サイズとが、Ｓ２６４、Ｓ２６５またはＳ２６６において設定されたプリンター２７の制御における記録媒体２０ａの種類、すなわち、制御種類と、Ｓ２６４、Ｓ２６５またはＳ２６６において設定されたプリンター２７の制御における記録媒体２０ａのサイズ、すなわち、制御サイズとに適合するか否かを判断する（Ｓ２７０）。
【０１４３】
印刷制御手段５２は、Ｓ２７０において適合しないと判断すると、記録媒体２０ａの属性の不適合が生じていることを示すエラー表示を表示部２２に行う（Ｓ２７１）。このエラー表示が行われた場合、利用者は、ＭＦＰ２０に対して所定の操作を実行することによって、ＭＦＰ２０に印刷を続行させることができる。しかしながら、本実施の形態においては、Ｓ２７１の後の処理については説明を省略する。何れにしろ、印刷制御手段５２は、利用者によって所定の操作が実行されるまで、印刷を停止する。
【０１４４】
印刷制御手段５２は、決定供給元がＭＰトレイ固定処理によって決定されたとＳ２６８において判断するか、Ｓ２７０において適合すると判断すると、搬送中の記録媒体２０ａ上に、画像生成処理において生成された画像を形成する（Ｓ２７２）。
【０１４５】
なお、印刷制御手段５２は、印刷データに複数ページの画像が含まれている場合、ページ毎にＳ２６７〜Ｓ２７２を繰り返す。
【０１４６】
次いで、印刷制御手段５２は、図１５に示す画像形成処理を終了する。
【０１４７】
図７に示すように、Ｓ１０３の画像形成処理が終了すると、印刷制御手段５２は、図７に示す処理を終了する。
【０１４８】
＜コピー印刷＞
スキャナー３０によって原稿から読み取られた画像に応じて生成された印刷データに基づいたＭＦＰ２０の印刷動作であるコピー印刷について説明する。
【０１４９】
コピー印刷は、供給元決定処理を除いて、上述のプリンター印刷と同一である。
【０１５０】
コピー印刷の供給元決定処理においては、自動供給元処理１、固定供給元処理１およびＭＰトレイ固定処理の何れかのみが実行される。具体的には、コピー印刷の供給元決定処理においては、ＭＰトレイ優先印刷設定４２の値が“設定２”または“設定３”であってＭＰトレイ２４に記録媒体２０ａがセットされていることが手差し媒体センサー２６によって検出されている場合にＭＰトレイ固定処理が実行される。また、ＭＰトレイ優先印刷設定４２の値が“設定１”である場合か、ＭＰトレイ２４に記録媒体２０ａがセットされていることが手差し媒体センサー２６によって検出されていない場合には、記録媒体２０ａの供給元を利用者に選択させて、選択された供給元が“自動”であるときに自動供給元処理１が実行され、それ以外のときに固定供給元処理１が実行される。
【０１５１】
＜ＦＡＸ印刷＞
ＭＦＰ２０が外部のファクシミリ装置からファックス通信部３１を介して受信したＦＡＸデータに応じて生成された印刷データに基づいたＭＦＰ２０の印刷動作であるＦＡＸ印刷について説明する。
【０１５２】
ＦＡＸ印刷は、供給元決定処理を除いて、上述のプリンター印刷と同一である。
【０１５３】
ＦＡＸ印刷の供給元決定処理においては、自動供給元処理１のみが実行される。
【０１５４】
以上に説明したように、ＭＦＰ２０は、記録媒体２０ａをＭＰトレイ２４からプリンター２７に強制的に供給させる動作である手差し強制動作、すなわち、ＭＰトレイ固定処理を実行する場合、設定向きに基づいて画像の向きを決定する（Ｓ２４３およびＳ２４５）ので、記録媒体２０ａの向きに起因する印刷の失敗の発生を抑えることができる。また、ＭＦＰ２０は、印刷データ受付手段５６が印刷データを受け付ける時期と無関係な時期に向き設定手段５５が記録媒体２０ａの向きの指示を受け付けてこの向きを設定することが可能であるので、ＭＰトレイ２４に記録媒体２０ａがセットされてから印刷制御手段５２によってＭＰトレイ固定処理が実行される（Ｓ１３３）までに利用者が実行する動作を従来より減らすことができる。すなわち、ＭＦＰ２０は、ＭＰトレイ固定処理を実行する場合の利用者の利便性を従来より向上することができる。
【０１５５】
また、ＭＦＰ２０は、ＭＰトレイ固定処理を実行する場合、プリンター２７への記録媒体２０ａの供給前に、設定向きに基づいて画像の向きを決定するので、生成した画像をプリンター２７への記録媒体２０ａの供給後に回転する必要がない。したがって、ＭＦＰ２０は、ビットマップ画像の回転回路を備えていなくても良い。
【０１５６】
また、ＭＦＰ２０は、図１３に示すように、ＭＰトレイ固定処理を実行する場合に、指定属性が設定属性に適合しないときであっても、エラー表示（Ｓ１４９、Ｓ１６９またはＳ１８４）を行うことなく、印刷を続行するので、属性が適切である記録媒体２０ａへの変更などの行為を利用者に要求することがない。すなわち、ＭＦＰ２０は、ＭＰトレイ固定処理を実行する場合の利用者の利便性を向上することができる。
【０１５７】
また、ＭＦＰ２０は、ＭＰトレイ固定処理を実行する場合に（Ｓ２６８でＹＥＳ）、検出属性が制御属性に適合しないときであっても、エラー表示（Ｓ２７１）を行うことなく、印刷を続行するので、属性が適切である記録媒体２０ａへの変更などの行為を利用者に要求することがない。すなわち、ＭＦＰ２０は、ＭＰトレイ固定処理を実行する場合の利用者の利便性を向上することができる。
【０１５８】
記録媒体２０ａのサイズは印刷結果に大きな影響がある。したがって、指定サイズが設定サイズに適合しないとき、通常は印刷を停止した方が良い。同様に、検出サイズが制御サイズに適合しないとき、通常は印刷を停止した方が良い。しかしながら、ＭＦＰ２０は、ＭＰトレイ固定処理を実行する場合、指定サイズが設定サイズに適合しないときであっても、印刷を続行するので、ＭＰトレイ固定処理を実行する場合の利用者の利便性を向上することができる。同様に、ＭＦＰ２０は、ＭＰトレイ固定処理を実行する場合、検出サイズが制御サイズに適合しないときであっても、印刷を続行するので、ＭＰトレイ固定処理を実行する場合の利用者の利便性を向上することができる。
【０１５９】
また、ＭＦＰ２０は、ＭＰトレイ２４に記録媒体２０ａがセットされていることが手差し媒体センサー２６によって検出されているときであって（Ｓ１３０でＹＥＳまたはＳ１３２でＹＥＳ）、給紙カセット２３よりＭＰトレイ２４を優先することがＭＰトレイ優先印刷設定４２において設定されているとき（Ｓ１２１で“設定２”または“設定３”）に、ＭＰトレイ固定処理を実行する（Ｓ１３３）。したがって、ＭＦＰ２０は、ＭＰトレイ２４に記録媒体２０ａがセットされている場合にＭＰトレイ固定処理を実行するか否かを、ＭＰトレイ優先印刷設定４２によって利用者に選択させることができる。
【０１６０】
ネットワークシステム１０は、ＭＦＰ２０の外部の装置としてＰＣ８０を備えているが、ＭＦＰ２０の外部の装置としてＰＣ以外の装置を備えていても良い。
【０１６１】
本発明の画像形成装置は、本実施の形態においてＭＦＰであるが、プリンター専用機、ファックス専用機、コピー専用機など、ＭＦＰ以外の画像形成装置であっても良い。
【符号の説明】
【０１６２】
２０  ＭＦＰ（画像形成装置）
２０ａ  記録媒体
２３  給紙カセット（媒体収納部）
２４  ＭＰトレイ（媒体手差し部）
２６  手差し媒体センサー（手差し検出部）
２７  プリンター（印刷デバイス）
２８  属性センサー（媒体属性検出部）
４１  画像形成プログラム
５１  画像生成手段
５２  印刷制御手段
５３  ＭＰトレイ優先印刷設定手段（手差し優先設定手段）
５４  属性設定手段（手差し属性設定手段）
５５  向き設定手段（媒体向き設定手段）
５６  印刷データ受付手段
【図１】
0005618443.tif 000002
【図２】
0005618443.tif 000003
【図３】
0005618443.tif 000004
【図４】
0005618443.tif 000005
【図５】
0005618443.tif 000006
【図６】
0005618443.tif 000007
【図７】
0005618443.tif 000008
【図８】
0005618443.tif 000009
【図９】
0005618443.tif 000010
【図１０】
0005618443.tif 000011
【図１１】
0005618443.tif 000012
【図１２】
0005618443.tif 000013
【図１３】
0005618443.tif 000014
【図１４】
0005618443.tif 000015
【図１５】
0005618443.tif 000016